(57)【要約】【課題】  載置式のジャッキベースに比べて安定性に優れ、作業スペースを広く確保することのできる支柱支持具を提供する。【解決手段】  本発明の支柱支持具は、パイプを有する足場パネルの当該パイプに取付けて使用する支柱支持具であって、ネジを備えた支持軸と、支持軸の下端側に設けられ足場パネルのパイプに連結可能なクランプと、支持軸の外周に螺合され支持軸の長手方向に移動可能な調整具を備え、クランプを足場パネルのパイプに連結すると、支持軸が足場パネルに対して垂直又は略垂直に立設するように構成されたものである。調整具に操作棒を差し込み可能な操作孔を設けることもできる。調整具は、操作孔に差し込まれた操作棒によって水平方向に回転させられると、支持軸の長手方向に移動するように構成することもできる。【選択図】図１
2020007738.tif 000002
【特許請求の範囲】
【請求項１】
パイプを有する足場パネルの当該パイプに取付けて使用する支柱支持具であって、
ネジを備えた支持軸と、
前記支持軸の下端側に設けられ、前記足場パネルのパイプに連結可能なクランプと、
前記支持軸の外周に螺合され、当該支持軸の長手方向に移動可能な調整具を備え、
前記クランプを前記足場パネルのパイプに連結すると、前記支持軸が足場パネルに対して垂直又は略垂直に立設する、
ことを特徴する支柱支持具。
【請求項２】
請求項１記載の支柱支持具において、
調整具に操作棒を差し込み可能な操作孔が設けられ、
前記調整具は、前記操作孔に差し込まれた操作棒によって水平方向に回転させられると、支持軸の長手方向に移動可能である、
ことを特徴とする支柱支持具。
【発明の詳細な説明】
【技術分野】
【０００１】
本発明は、吊り足場上に別の足場を組む場合やパネルを設ける場合等に使用する縦支柱を支持する支柱支持具に関するものである。
【背景技術】
【０００２】
高所での工事には多数枚の足場パネルを連結した吊り足場が使用される。足場パネルとして、本件出願人が先に特許権を取得したもの（特許文献１）がある。
【０００３】
この足場パネルＡは、図６に示すように、二本の細長材Ｂと二本の連結パイプ（フレームパイプ）Ｃと補強材Ｄを備えた周枠上面に、長方形の足場板（例えば、金属平板、コンパネ材、エキスパンドメタル、又はその他の足場板）Ｅが配置固定されたものである。長手方向両端側の補強材ＤとフレームパイプＣとの間には隙間Ｆがあり、それら補強材ＤとフレームパイプＣの間に両者をつなぐ係止材Ｇが設けられている。
【０００４】
前記足場パネルＡは、図７に示すように、高架道路や鉄橋等の架台（主桁）Ｈから吊り下げられた吊りチェーンＩに係止されて吊り下げられて縦横に連結することによって吊り足場を形成することができる。
【０００５】
吊り足場を設置して作業をする場合、当該吊り足場の上に更に別の足場を組む場合がある。また、吊り足場には、落下防止用や採光用といった各種用途で使用されるパネルや柵、ネット等（以下「パネル等」という）を設ける場合もある。
【０００６】
従来、吊り足場上に別の足場やパネル等を設ける場合、図８（ａ）（ｂ）に示すように、吊り足場上に敷板Ｊを設置し、その敷板Ｊの凹部にジャッキベースＫを配置する。その後、当該ジャッキベースＫのネジ棒Ｋ１にパイプ状の縦支柱Ｌを被せ、その縦支柱Ｌを利用して足場やパネル等を設置していた。
【先行技術文献】
【特許文献】
【０００７】
【特許文献１】特許第２６４７８０１号公報
【発明の概要】
【発明が解決しようとする課題】
【０００８】
しかし、従来の方法には次のような課題があった。
（１）ジャッキベースＫが足場パネルＡに固定されないため、横ずれが生じるなど安定性に欠ける。
（２）ジャッキベースＫは作業スペースである足場板Ｅ上に設置せざるを得ないため、作業スペースが狭くなる。
（３）吊り足場上に設置する足場として鋼製布板等を用いる場合には、図８（ｂ）に仮想線で示すように、ジャッキベースを二列に平行に設置する必要があるが、この場合には作業スペースが更に狭くなる。
（４）高速道路の下など、吊り足場の上方側に床版を支える主桁があるような場合には、当該主桁が邪魔になり、ジャッキベースＫを二列に設置できないことがある（図８（ｂ））。
【０００９】
本発明は前記事情に鑑みてなされたものであり、その解決課題は、従来の載置式のジャッキベースに比べて安定性に優れ、作業スペースを広く確保することのできる支柱支持具を提供することにある。
【課題を解決するための手段】
【００１０】
本発明の支柱支持具は、パイプを有する足場パネルの当該パイプに取付けて使用する支柱支持具であって、ネジを備えた支持軸と、支持軸の下端側に設けられ足場パネルのパイプに連結可能なクランプと、支持軸の外周に螺合され支持軸の長手方向に移動可能な調整具を備え、クランプを足場パネルのパイプに連結すると、支持軸が足場パネルに対して垂直又は略垂直に立設するように構成されたものである。
【発明の効果】
【００１１】
本発明の支柱支持具は、足場材のパイプに連結するものであるため、従来の載置式のジャッキベースのように横滑りする心配がなく安定性に優れている。また、足場材のパイプに固定するものであるため、従来の載置式のジャッキベースのように足場パネル上のスペースを作業スペースとして確保することができる。
【図面の簡単な説明】
【００１２】
【図１】本発明の支柱支持具の一例を示す斜視図。
【図２】（ａ）は本発明の支柱支持具の支持軸に縦支柱を被せる前の説明図、（ｂ）は本発明の支柱支持具の支持軸に縦支柱を被せた状態の説明図。
【図３】（ａ）は足場パネルの連結パイプに取り付けた支柱支持具の支持軸に縦支柱を被せた状態の説明図、（ｂ）は支持軸の外周に設けられた調整具の高さの変更方法の説明図。
【図４】（ａ）は本発明の支柱支持具を用いて落下防止用パネルを設置する場合の正面図、（ｂ）は（ａ）の側面図。
【図５】（ａ）は本発明の支柱支持具を用いて足場を設置する場合の正面図、（ｂ）は（ａ）の側面図。
【図６】足場パネルの一例を示す斜視説明図。
【図７】図６に示す足場パネルを組み立てた状態を示す斜視説明図。
【図８】（ａ）は従来の載置型のジャッキベースと敷板の説明図、（ｂ）は従来の載置型のジャッキベースを用いて足場を設置する場合の説明図。
【発明を実施するための形態】
【００１３】
（実施形態）
本発明の支柱支持具１０の実施形態の一例を、図１〜図４を参照して説明する。本発明の支柱支持具１０はパイプを有する足場パネルの当該パイプに取付けて使用するものである。ここでは、足場パネルが連結パイプＣを備えた従来の足場パネルＡ（図６参照）の場合を一例とするが、足場パネルはパイプを備えたものであればこれ以外であってもよい。図１において、１は支持軸、２はクランプ、３は調整具である。クランプ２は支持軸１の一端側に溶接で固定され、調整具３は支持軸１の外周に螺合されている。
【００１４】
前記支持軸１は、その上に縦支柱Ｌを被せるための縦長の棒状部材である。この実施形態では、支持軸１としてパイプ材を用いている。支持材１には棒状の無垢材を用いることもできるが、軽量化の観点からパイプ材を用いるのが好ましい。支持軸１の外周面には雄ネジ１ａが形成されている。
【００１５】
前記クランプ２は足場パネルＡのパイプを保持する部材である。この実施形態では、クランプ２として既存の単管クランプを用いている。クランプ２は支持軸１の下端側にボルトによって固定されている。
【００１６】
前記調整具３は、支持軸１の上に被せられる縦支柱Ｌの高さ方向の位置を調整するための部材である。一例として図１に示す調整具３はリング状であり、内周面には支持軸１の雄ネジ１ａに螺合する雌ネジ３ａが形成されている。この実施形態の調整具３は、周方向の二カ所に操作孔３ｂが設けられている。この実施形態では、図３（ｂ）に示すように、操作孔３ｂに操作棒Ｍを差込み、当該操作棒Ｍを図中矢印方向に回転させると、調整具３が支持軸１の雄ネジ１ａに沿って下方に移動し、操作孔３ｂに差し込んだ操作棒Ｍを当該矢印と反対方向に回転させると、調整具３が支持軸１の上方に移動する。
【００１７】
図２（ａ）（ｂ）に示すように、この実施形態の支柱支持具１０は、吊り足場を構成する足場パネルＡの連結パイプＣにクランプ２を固定し、当該固定によって足場パネルＡに対して直立した支持軸１の上に縦支柱Ｌを被せることで、縦支柱Ｌを縦向きに支持することができる。
【００１８】
図３（ａ）は前記手順で足場パネルＡの連結パイプＣに取り付けた支柱支持具１０と、当該支柱支持具１０のクランプ２を固定し、当該支持軸１の上に縦支柱Ｌを被せた状態を示す斜視図である。この状態から、図３（ｂ）のように操作棒Ｍを調整具３の操作孔３ｂに差込んで図中矢印方向に回転させると、調整具３が回転しながら下降し、縦支柱Ｌの支持位置を下方にずらすことができる。他方、操作孔３ｂに差込んだ操作棒Ｍを反対方向に回転させると、調整具３が回転しながら上昇し、縦支柱Ｌの支持位置を上方にずらすことができる。
【００１９】
（使用例１）
本発明の支柱支持具１０の第一の使用例を、図４（ａ）（ｂ）を参照して説明する。この使用例は、本発明の支柱支持具１０を用いて、吊り足場に落下防止パネルＮを設置する場合の例である。図４（ａ）（ｂ）において、Ａは足場パネル、Ｈは架台（主桁）、Ｉは吊りチェーン、Ｎは落下防止パネル、Ｏは床版である。
（１）図４（ａ）に示すように、吊り足場を構成する足場パネルＡの連結パイプＣに本発明の支柱支持具１０を取り付ける。図４（ｂ）に示すように、支柱支持具１０は、橋軸方向に間隔をあけて所望本数設置する。
（２）取り付けたそれぞれの支柱支持具１０の支持軸１の上に縦支柱Ｌを被せ、隣接する縦支柱Ｌ間に先行手摺りＰを配設する。縦支柱ＬはジョイントＳを介して所望本数設置することができる。隣接する縦支柱Ｌの下方側は根がらみ（布材）Ｔで連結する。
（３）縦支柱Ｌに所望枚数の落下防止パネルＮを固定し、作業を完了する。
【００２０】
（使用例２）
本発明の支柱支持具１０の第二の使用例を、図５（ａ）（ｂ）を参照して説明する。この使用例は、本発明の支柱支持具１０を用いて、吊り足場上に別の足場を組む場合の例である。図５（ａ）（ｂ）において、Ａは足場パネル、Ｈは架台（主桁）、Ｉは吊りチェーン、Ｏは床版である。
（１）図５（ａ）に示すように、吊り足場を構成する足場パネルＡの連結パイプＣに本発明の支柱支持具１０を取り付ける。図５（ｂ）に示すように、支柱支持具１０は、橋軸方向に沿って所望数設置する。
（２）取り付けたそれぞれの支柱支持具１０の支持軸１の上に縦支柱Ｌを被せ、隣接する縦支柱Ｌ間に先行手摺りＰを配設する。
（３）取り付けた縦支柱Ｌよりも内側であって、吊り足場を構成する足場パネルＡの足場板Ｅ上に敷板Ｊを設置し、当該敷板Ｊの凹部に載置式のジャッキベースＫを設置する。図５（ｂ）に示すように、載置式のジャッキベースＫは橋軸方向に沿って所望数設置する。このとき、載置式のジャッキベースＫは、足場パネルＡの連結パイプＣに取り付けた支柱支持具１０の間隔と等間隔で、当該支柱支持具１０と平行になるように設置する。
（４）設置したそれぞれの載置式のジャッキベースＫのネジ棒Ｋ１の上に縦支柱Ｌを被せ、隣接する縦支柱Ｌ間に布材Ｕを配設する。縦支柱ＬはジョイントＳを介して所望本数設置することができる。隣接する縦支柱Ｌの下方側は根がらみ（布材）Ｔで連結する。
（５）平面視横並びに設置された縦支柱Ｌ同士を横連結材Ｑで連結する。このとき、縦支柱Ｌの下方側は根がらみ（布材）Ｔで連結する。
（６）隣接する横連結材Ｑ間に鋼製布板Ｒを設置し、作業を完了する。
【産業上の利用可能性】
【００２１】
本発明の支柱支持具１０は、吊り足場上に別の足場や各種パネル等を設置するのに利用するほか、親綱支柱の立設等に利用することもできる。
【符号の説明】
【００２２】
１      支持軸
１ａ    雄ネジ
２      クランプ
３      調整具
３ａ    雌ネジ
３ｂ    操作孔
１０    支柱支持具
Ａ      足場パネル
Ｂ      細長材
Ｃ      連結パイプ（フレームパイプ）
Ｄ      補強材
Ｅ      足場板
Ｆ      隙間
Ｇ      係止材
Ｈ      架台（主桁）
Ｉ      吊りチェーン
Ｊ      敷板
Ｋ      ジャッキベース
Ｋ１    （ジャッキベースの）ネジ棒
Ｌ      縦支柱
Ｍ      操作棒
Ｎ      落下防止パネル
Ｏ      床版
Ｐ      先行手摺り
Ｑ      横連結材
Ｒ      鋼製布板
Ｓ      ジョイント
Ｔ      根がらみ（布材）
Ｕ      布材
【図１】
2020007738.tif 000003
【図２】
2020007738.tif 000004
【図３】
2020007738.tif 000005
【図４】
2020007738.tif 000006
【図５】
2020007738.tif 000007
【図６】
2020007738.tif 000008
【図７】
2020007738.tif 000009
【図８】
2020007738.tif 000010